(57)【要約】【課題】身体的な負担の低い階段を提供する。【解決手段】例えば皮むきされた間伐材からなる踏棒２０および蹴込棒２３を備える。踏棒２０は踏面２１Ａをなす上部踏棒２１と上部踏棒２１を支持する下部踏棒２２とを含み、上部踏棒２１および下部踏棒２２はそれぞれの延在方向が互いに平行となるように上下に重ね合わせて配置されている。上部踏棒２１は水平面Ｈと所定の角度（例えば−５．２度）をなす踏面２１Ａと、水平面Ｈと平行となるように形成された当接面２１Ｄとを有する。下部踏棒２２は当接面２１Ｄと当接された当接面２２Ａを有する。蹴込棒２３は、蹴込棒２３の側面が踏棒２０の端部２１Ｃ側の側面と接すると共に、蹴込棒２３の上面（鼻段２３Ａの上面）のうち踏棒２０側の端部２３Ｃが踏棒２０の踏面２１Ａを含むトレース面Ｓと接するように配置されている。【選択図】図４
2008190141.tif 000002
【特許請求の範囲】
【請求項１】
裏面と所定の角度で対向する傾斜した踏面を備える
ことを特徴とする階段用踏部。
【請求項２】
前記踏面は、前記裏面と−５．２度の角度をなす
ことを特徴とする請求項１に記載の階段用踏部。
【請求項３】
水平面と所定の角度をなす傾斜した踏面を備える
ことを特徴とする階段。
【請求項４】
前記踏面は、水平面と−５．２度の角度をなす
ことを特徴とする請求項３に記載の階段。
【請求項５】
踏面をなす複数の踏部と、
複数の蹴込部と
を備え、
前記各踏部は、前記蹴込部を介して配置されると共に、水平面と所定の角度をなす傾斜した踏面を有する
ことを特徴とする階段。
【発明の詳細な説明】
【技術分野】
【０００１】
本発明は、身体的な負担が軽くなるように改良された階段用踏部および階段に関する。
【背景技術】
【０００２】
経済発展に伴い、鉄やコンクリートなどの工業材料が大量に供給され、これらが木材に代わって主要材料となったことから、わが国での１人当たりの木材消費量は大幅に減少している。また、外国から安価な木材が大量に流通するようになったことから、国産の木材の競争力が大幅に低下している。そのため、林業経営はここ数十年の間、悪化の一途をたどっており、高齢化による熟練技術者の減少と相まって、間伐等の手入れすら行われていない地域が多くなっている。間伐等の手入れが行われている場合であっても、間伐等により切り出された木のほとんどは山林に放置されたり、産業廃棄物として焼却処分されたりしている。
【０００３】
一方で、今年、京都議定書が発効し、二酸化炭素の吸着固定能力に優れた森林の機能や、公益的機能に注目が集まってきている。そのため、地球温暖化防止等の地球環境に配慮した物作りが活発に行われている。例えば、集中豪雨や地震などにより倒れた木（倒木）や、間伐された木（間伐木）、工事などにより不要となった木（不要木）など、今まで有効利用されずにいた原木を積極的に活用しようとする技術が多数提案されている。そのような技術の１つとして、間伐材の合板を家の壁材に利用する技術が非特許文献１に開示されている。
【非特許文献１】林野庁・各種施策紹介・間伐等推進総合対策の推進について・間伐材利用コンクールの実施・「暮らしに役立つ間伐材利用」部門・間伐推進中央協議会会長賞・概要、http://www.rinya.maff.go.jp/puresu/h16-10gatu/kanbatu/7.htm
【０００４】
また、近年、シックハウス症候群に代表される健康問題が社会問題化しており、化学物質が排出されない安心、安全な施設を求める消費者意識の高まりが顕著になっている。また、木のぬくもりや、癒しの効用が再認識されてきている。このような、生活環境に対する関心の高まりと相まって、例えば上記したような技術を利用して、公園や散策道などの屋外に設置される身近な施設を間伐材で製造することが多くなってきている。
【発明の開示】
【発明が解決しようとする課題】
【０００５】
このように、身近な施設を間伐材で製造する機会が増加してきているが、そのような施設の多くは高齢者や、身体障害者、女性、子供などが主に利用するような場所に設置されている。そのため、そのような施設を、高齢者や、身体障害者、女性、子供などが身体的な負担を強いられることなく利用できるように設計することが望まれている。
【０００６】
そのような施設の中でも特に階段は身体的な負担を強いられるものである。そのため、従来は、階段に沿って手すりや足元照明を設けるなど、階段の周辺に工夫をする他に、蹴上げ（いわゆる段差）を低くしたり、踏面（足を乗せる部分）を広げたり、段鼻（踏面の先端部）の位置に滑り止めを設けたり、段鼻の位置をわかりやすくするために段鼻に目立つ色を付けるなど、階段そのものに工夫をしているが、さらに効果的に身体的な負担を低減する方策が望まれている。
【０００７】
本発明はかかる問題点に鑑みてなされたもので、その目的は、身体的な負担の低い階段用踏部および階段を提供することにある。
【課題を解決するための手段】
【０００８】
本発明の階段用踏部は、裏面と所定の角度で対向する傾斜した踏面を備えている。この踏面は、例えば裏面と−５．２度の角度をなしている。
【０００９】
本発明の階段用踏部では、裏面と所定の角度で対向する傾斜した踏面が設けられているので、これを利用して階段を構成した場合には、歩行しやすく、疲労を感じにくい。
【００１０】
本発明の第１の階段は、水平面と所定の角度をなす傾斜した踏面を備えている。この踏面は、段鼻が踏面の段鼻とは反対側の端部よりも低くなるように傾斜していることが好ましく、例えば水平面と−５．２度の角度をなしている。
【００１１】
本発明の第１の階段では、水平面と所定の角度をなす傾斜した踏面が設けられているので、歩行しやすく、疲労を感じにくい。
【００１２】
本発明の第２の階段は、踏面をなす複数の踏部と、複数の蹴込部とを備えたものである。各踏部は、蹴込部を介して配置されると共に、水平面と所定の角度をなす傾斜した踏面を有する。
【００１３】
本発明の第２の階段では、各踏部が水平面と所定の角度をなす傾斜した踏面を有するので、歩行しやすく、疲労を感じにくい。
【発明の効果】
【００１４】
本発明の階段用踏部ならびに第１および第２の階段によれば、傾斜した踏面を設けるようにしたので、歩行しやすく、疲労を感じにくくすることができる。これにより、身体的な負担を低減することができる。
【発明を実施するための最良の形態】
【００１５】
以下、本発明の実施の形態について、図面を参照して詳細に説明する。
【００１６】
［第１の実施の形態］
図１は、本発明の第１の実施の形態に係る階段１の概略構成を表すものである。この階段１は、屋外または屋内で利用可能なものであり、踏面１０Ａをなす複数の踏板１０（階段用踏部）と、複数の蹴込板１１（蹴込部）とを備えている。
【００１７】
踏板１０は、例えば角材に製材された間伐材からなり、段鼻１０Ｂ（踏面１０Ａの先端部）と蹴込板１１との間の寸法（蹴込み寸法Ｌ）が所定の値となるように蹴込板１１を介して配置されている。ここで、踏板１０は、段鼻１０Ｂの上面が踏面１０Ａの段鼻１０Ｂとは反対側の端部１０Ｃ（踏面１０Ａの後端部であって、かつ踏板１０が蹴込板１１に接する部分）の上面よりも高くなるように配置されている。つまり、踏面１０Ａが水平面Ｈと所定の角度をなしており、例えば水平面Ｈと−５．２度の傾斜角θをなしている。なお、図１では、踏面１０Ａを傾斜させるために、踏板１０の踏面１０Ａ側の面が斜めに切り欠かれているケースが例示されている。
【００１８】
ここで、蹴込み寸法Ｌは、０ｃｍ以上３ｃｍ以下となっていることが好ましい。また、踏面１０Ａの奥行きＤ１は、３０ｃｍ以上となっていることが好ましい。なお、図示していないが、段鼻１０Ｂの部位に滑り止めを設けるようにしてもよい。
【００１９】
蹴込板１１は、例えば角材に製材された間伐材からなり、例えば、蹴込板１１の表面端部１１Ａが隣接する一の踏板１０の端部１０Ｃと接すると共に、蹴込板１１の端面１１Ｂが隣接する他の踏板１０の底面１０Ｄと接するように配置されている。つまり、蹴込板１１は、隣接する段鼻１０Ｂ間の高さ、すなわち蹴上げＴを一定に保つために配置されている。蹴込板１１は、図１に示したようにほぼ垂直（鉛直）に設けられていてもよいし、図２に示したように傾斜して設けられていてもよい。なお、図２では踏板１０の踏面１０Ａとは反対側の底面１０Ｄが斜めに切り欠かれているケースが例示されている。また、蹴込板１１に図３に示したような傾斜面１１Ｃを設けることにより、蹴込板１１が外観からは傾斜して見えるようにしてもよい。
【００２０】
ところで、踏面１０Ａを上記したように一定の角度で傾斜させるためには、踏板１０および蹴込板１１の少なくとも一方に、踏板１０と蹴込板１１とを接合する際に踏面１０Ａの角度θが自動的に決まってしまうような構造をあらかじめ作り込んでおくことが好ましい。例えば、図１に示したように、踏板１０の踏面１０Ａをあらかじめ所定の角度で削っておき、この削られた踏面１０Ａを有する踏板１０の端部１０Ｃを蹴込板１１に当接することにより、踏面１０Ａの傾斜角θを所定の角度にすることができる。また、例えば、図３に示したように、蹴込板１１の表面端部１１Ａをあらかじめ所定の角度で切り欠いておき、その切り欠いた表面端部１１Ａに踏板１０の端部１０Ｃを当接することにより、踏面１０Ａの傾斜角θを所定の角度にすることができる。
【００２１】
本実施の形態の階段１では、傾斜した踏面１０Ａが設けられているので、歩行しやすく、疲労を感じにくくすることができる。これにより、高齢者や、女性、子供などが身体的な負担を強いられることなく階段１を利用（昇降）することが可能となる。
【００２２】
また、本実施の形態の階段１において、踏板１０および蹴込板１１に、踏板１０と蹴込板１１とを接合する際に踏面１０Ａの角度θが自動的に決まってしまうような構造をあらかじめ作り込んでおいた場合には、あらかじめ作り込んでおいた形状の踏板１０および蹴込板１１に対して防腐処理を施すことが可能となる。その結果、階段１を設置する現場で防腐効果を減殺するような穴あけ作業を行う必要がなくなるので、階段１の防腐効果を長期間に渡って持続することが可能となる。また、階段１を設置する現場で穴あけ作業を行う必要がないことから、現場で部材を組み立てるだけで階段１を製作することができ、工期を短縮することができる。
【００２３】
［第２の実施の形態］
図４は本発明の第２の実施の形態に係る階段２の概略構成を表す側面図であり、図５は階段２を昇る方向から見たときの階段２の概略構成を表す正面図である。この階段２は、屋外での利用に特化したものであり、踏棒２０（階段用踏部）と、蹴込棒２３（蹴込部）とを備えている。
【００２４】
踏棒２０は、踏面２１Ａをなす上部踏棒２１と、上部踏棒２１を支持する下部踏棒２２とを含んでいる。上部踏棒２１および下部踏棒２２は、それぞれの延在方向が互いに平行となるように上下に重ね合わせて配置されている。
【００２５】
上部踏棒２１は、例えば皮むきされた間伐材からなり、互いに斜めに対向するように形成された踏面２１Ａおよび当接面２１Ｄを有している。この上部踏棒２１は、踏面２１Ａのうち蹴込棒２３の段鼻２３Ａ（後述）近傍の端部２１Ｂ（踏面２１Ａの先端部）の上面が踏面２１Ａの端部２１Ｂとは反対側の端部２１Ｃ（踏面２１Ａの後端部）の上面よりも高くなるように配置されている。つまり、踏面２１Ａは、水平面Ｈと所定の角度をなしており、例えば水平面Ｈと−５．２度の傾斜角θをなしている。他方、当接面２１Ｄは、水平面Ｈと平行となるように形成されている。つまり、踏面２１Ａは、当接面２１Ｄと所定の角度をなしており、例えば当接面２１Ｄと−５．２度の傾斜角θをなしているとも言える。なお、踏面２１Ａは、図６に示したように、上部踏棒２１および下部踏棒２２のそれぞれの半径が大きい場合であっても、それに依らずに常に一定の幅Ｗで形成されていることが好ましい。
【００２６】
下部踏棒２２は、例えば皮むきされた間伐材からなり、上部踏棒２１の当接面２１Ｄと当接された当接面２２Ａを有している。この下部踏棒２２は、当接面２２Ａが水平面Ｈと平行となるように配置されている。
【００２７】
蹴込棒２３は、例えば皮むきされた間伐材からなり、例えば、蹴込棒２３の側面が踏棒２０の端部２１Ｂ側の側面と接すると共に、蹴込棒２３の上面（段鼻２３Ａ）のうち踏棒２０側の端部２３Ｄが踏棒２０の踏面２１Ａを含むトレース面Ｓと接するように配置されている。つまり、蹴込棒２３の上面は、実質的に、踏棒２０の踏面２１Ａと共に踏面の一部を構成している。この蹴込棒２３は、実際に屋外に設置される際には、ほぼ垂直（鉛直）に地面などの固定物に打ち込まれ、固定される。
【００２８】
踏棒２０および蹴込棒２３はボルトなどの締付金具２４によって互いに固定される。具体的には、蹴込棒２３には、貫通穴部２３Ｂ，２３Ｃが蹴込棒２３の上面と平行な方向に蹴込棒２３を貫通して形成されており、貫通穴部２３Ｂは蹴込棒２３の上面から所定の距離（穴上寸法Ｆ）のところに形成されており、貫通穴部２３Ｃは貫通穴部２３Ｂの蹴込棒２３の上面とは反対側（貫通穴部２３Ｂの下側）に、貫通穴部２３Ｂと所定の間隔（穴間寸法Ｇ）を空けて形成されている。他方、上部踏棒２１には、貫通穴部２３Ｂと対向する位置に、貫通穴部２１Ｅが形成されており、この貫通穴部２１Ｅは蹴込棒２３の上面と平行な方向に上部踏棒２１を貫通して形成されている。また、下部踏棒２２には、貫通穴部２３Ｃと対向する位置に、貫通穴部２２Ｂが形成されており、この貫通穴部２２Ｂは蹴込棒２３の上面と平行な方向に下部踏棒２２を貫通して形成されている。そして、貫通穴部２３Ｂおよび貫通穴部２１Ｅに締付金具２４を挿通すると共に、貫通穴部２３Ｃおよび貫通穴部２２Ｂに締付金具２４を挿通することにより、踏棒２０が蹴込棒２３に固定されている。なお、穴上寸法Ｆおよび穴間寸法Ｇは、図６に示したように、上部踏棒２１および下部踏棒２２のそれぞれの半径が大きい場合であっても、それに依らずに常に一定に形成されていることが好ましい。つまり、上部踏棒２１に形成される貫通穴部２１Ｅおよび下部踏棒２２に形成される貫通穴部２２Ｂが常に上部踏棒２１および下部踏棒２２の中心軸（年輪の同心円の中心軸）を貫通している必要はない。
【００２９】
ところで、踏面２１Ａを上記したように一定の角度で傾斜させるためには、踏棒２０および蹴込棒２３に、踏棒２０と蹴込棒２３とを接合する際に踏面２１Ａの角度θが自動的に決まってしまうような構造をあらかじめ作り込んでおくことが好ましい。例えば、踏棒２０の踏面２１Ａを、上部踏棒２１および下部踏棒２２のそれぞれの半径の大きさに依らずに常に一定の幅Ｗで形成し、さらに、蹴込棒２３の端部２３Ｄが踏面２１Ａを含むトレース面Ｓに接するように上部踏棒２１および下部踏棒２２を配置したときに、踏棒２０の当接面２１Ｄ，２２Ａが互いにほぼぴったりと当接する（正対する）ように、踏棒２０の当接面２１Ｄ，２２Ａを同一形状、同一面積で形成しておくことにより、踏面１０Ａの傾斜角θを所定の角度にすることができる。なお、この場合には、踏棒２０の当接面２１Ｄ，２２Ａの面積は上部踏棒２１および下部踏棒２２のそれぞれの半径の大きさに依って異なることになる。
【００３０】
本実施の形態の階段２では、傾斜した踏面２１Ａが設けられているので、歩行しやすく、疲労を感じにくくすることができる。これにより、高齢者や、女性、子供などが身体的な負担を強いられることなく階段２を利用（昇降）することが可能となる。
【００３１】
また、本実施の形態の階段２において、踏棒２０および蹴込棒２３に、踏棒２０と蹴込棒２３とを接合する際に踏面２１Ａの角度θが自動的に決まってしまうような構造をあらかじめ作り込んでおいた場合には、あらかじめ作り込んでおいた形状の踏棒２０および蹴込棒２３に対して防腐処理を施すことが可能となる。その結果、階段２を設置する現場で防腐効果を減殺するような穴あけ作業を行う必要がなくなるので、階段２の防腐効果を長期間に渡って持続することが可能となる。また、階段２を設置する現場で穴あけ作業を行う必要がないことから、現場で部材を組み立てるだけで階段２を製作することができ、工期を短縮することができる。
【００３２】
また、本実施の形態の階段２において、踏棒２０および蹴込棒２３を皮むきされた間伐材で形成した場合には、原木の自然な風合いを活かすことができるので、踏棒２０および蹴込棒２３を角材で形成した場合と比べて、木のぬくもりをより一層感じることができ、癒しの効用もより一層期待することができる。
【００３３】
［実施例］
以下、本発明の一実施例について説明する。
【００３４】
踏棒２０および蹴込棒２３を間伐材で制作し、踏面２１Ａが水平面と所定の傾斜角θをなすように上部踏棒２１の側面を削った。蹴上げＴを２０ｃｍ、踏面２１Ａの横幅（図４の紙面に対して垂直な方向の幅）を６０ｃｍ、奥行きＤを４０ｃｍとした。本実施例として踏面２１Ａの傾斜角θが−５．２度のものを用意し、比較例として踏面２１Ａの傾斜角θが０度、−１度、−３度、−７度、−９度のものをそれぞれ用意した。
【００３５】
健常な６２歳の男性１名の被験者に対してＰＣＩ（Physiological Cost Index:生理的コスト指数）を求める試験を行った。具体的には、階段２の昇降運動を１０分間行い、メトロノームのリズムに合わせて１分間６０歩で歩行し、歩行前と後の脈拍を計測し、ＰＣＩを求めた。その結果を図７に示した。
【００３６】
また、上記被験者に対して筋放電量を求める試験を行った。具体的には、被験者の利き足側の外側広筋（ふともも前）、ハムストリング（ふともも後）、前脛骨筋（脹脛前）、腓腹筋（脹脛後）、中殿筋（臀部上部）および大殿筋（臀部）の計６箇所の筋肉に表面電極を貼り、表面筋電位計測方法を用いて、これらの筋繊維が活動することによって観測される電位を波形として表し、その波形を筋放電量解析した。その結果を図８に示した。なお、図８には、波形を自動的に全波整流し、波形のピークを線で繋いだものが示されている。また、踏面２１Ａの傾斜角θが−３度となっている場合には０度の結果とほぼ同等の結果が得られたので、その結果の掲載を省いた。同様に、踏面２１Ａの傾斜角θが−７度となっている場合には−９度の結果とほぼ同等の結果が得られたので、その結果の掲載も省いた。
【００３７】
また、表面筋電位計測方法を用いて観測された各波形のうち前脛骨筋、腓腹筋および大殿筋についての波形を筋電図解析ソフト（ＢＩＭＵＴＡＳ II（キッセイコムテック社製））を用いてＦＦＴ解析したのちＭｅｄｉａｎ周波数計測をし、その結果を図９，図１０に示した。図９には踏面２１Ａの傾斜角θが０度のときの結果を示し、図１０には踏面２１Ａの傾斜角θが−５．２度のときの結果を示した。なお、踏面２１Ａの傾斜角θが−３度、−７度、−９度となっている場合には０度の結果とほぼ同等の結果が得られたので、その結果の掲載を省いた。また、図９，図１０には、Ｍｅｄｉａｎ周波数に該当する箇所にＭｅｄｉａｎという文字を付した。
【００３８】
さらに、健常な男性大学生９名と、４０歳から６０歳までの年齢幅に含まれる健常な男性１２名の合計２１名の被験者に対して官能検査を行い、階段２を昇ったときの結果を図１１（Ａ）に、階段２を下りたときの結果を図１１（Ｂ）にそれぞれ示した。
【００３９】
図７から、ＰＣＩ値が最低でも０．９（拍／秒）程度となることがわかった。自然行時の健常成人のＰＣＩの標準値は０．２から０．４（拍／秒）であることを勘案すると、階段昇降時は全体的に高い値を示していると言える。しかし、踏面２１Ａの傾斜角θが−５．２度となっている場合に最も低くなることから、この場合には、他の場合よりも歩行しやすく、疲労を感じにくいと言える。
【００４０】
また、図８から、踏面２１Ａの傾斜角θが−５．２度となっている場合に、階段を昇降する際によく使われる外側広筋、前脛骨筋および大殿筋における筋放電量が最も小さくなるのがわかった。つまり、この結果からも、踏面２１Ａの傾斜角θが−５．２度となっている場合には、他の場合よりも歩行しやすく、疲労を感じにくいと言える。
【００４１】
また、図９、図１０から、踏面２１Ａの傾斜角θが０度となっている場合には、Ｍｅｄｉａｎ周波数が時間の経過と共に最も小さくなるが、踏面２１Ａの傾斜角θが−５．２度となっている場合には、Ｍｅｄｉａｎ周波数は時間の経過とはほぼ無関係にランダムに分布しているのがわかった。踏面２１Ａの傾斜角θが−３度、−７度、−９度となっている場合についても同様の結果が得られた。一般に、人間が疲労を感じると、Ｍｅｄｉａｎ周波数が徐々に低集波数帯へ移行すると言われており、このことから、この結果からも、踏面２１Ａの傾斜角θが−５．２度となっているときは、他の場合よりも歩行しやすく、疲労を感じにくいと言える。
【００４２】
また、図１１（Ａ）から、昇りでは、−７度、−９度の傾斜角θとなると歩行しにくいという意見が多いが、−１度、−３度、−５．２度では歩行しにくいという意見が３０％を超えることはなかった。一方、図１１（Ｂ）から、下りでは、昇りに比べて傾斜角θがある程度あった方が歩行しやすいという意見が多く、−５．２度では、非常に歩行しやすいという意見が３０％にも達した。これらの意見をふまえると、この結果からも、踏面２１Ａの傾斜角θが−５．２度となっているときは、他の場合よりも歩行しやすく、疲労を感じにくいと言える。
【００４３】
以上、実施の形態および実施例を挙げて本発明を説明したが、本発明はこれに限定されるものではなく、種々の変形が可能である。
【図面の簡単な説明】
【００４４】
【図１】本発明の第１の実施の形態に係る階段の断面構成図である。
【図２】図１の一変形例に係る階段の断面構成図である。
【図３】他の変形例に係る階段の断面構成図である。
【図４】本発明の第２の実施の形態に係る階段の側面構成図である。
【図５】図４の階段の背面構成図である。
【図６】図４の一変形例に係る階段の断面構成図である。
【図７】ＰＣＩと傾斜角との関係を表す関係図である。
【図８】Ｍｅｄｉａｎ周波数と傾斜角との関係を表す関係図である。
【図９】筋肉疲労と傾斜角（０度）との関係を表す関係図である。
【図１０】筋肉疲労と傾斜角（−５．２度）との関係を表す関係図である。
【図１１】官能検査結果と傾斜角との関係を表す関係図である。
【符号の説明】
【００４５】
１，２…階段、１０…踏板、１０Ａ，２１Ａ…踏面、１０Ｂ，２３Ａ…段鼻、１０Ｃ，２１Ｂ，２１Ｃ，２３Ｄ…端部、１０Ｄ…底面、１１…蹴込板，１１Ａ…表面端部、１１Ｂ…端面、１１Ｃ…傾斜面、２０…踏棒、２１…上部踏棒、２１Ｄ，２２Ａ…当接面、２１Ｅ，２２Ｂ，２３Ｂ，２３Ｃ…貫通穴部、２２…下部踏棒、２３…蹴込棒、２４…締付金具、Ｄ…階段の奥行き、Ｆ…穴上寸法、Ｇ…穴間寸法、Ｈ…水平面、Ｌ…蹴込み寸法、Ｓ…トレース面、Ｔ…蹴上げ、θ…踏面の傾斜角、Ｗ…踏面の幅。
【図１】
2008190141.tif 000003
【図２】
2008190141.tif 000004
【図３】
2008190141.tif 000005
【図４】
2008190141.tif 000006
【図５】
2008190141.tif 000007
【図６】
2008190141.tif 000008
【図７】
2008190141.tif 000009
【図８】
2008190141.tif 000010
【図９】
2008190141.tif 000011
【図１０】
2008190141.tif 000012
【図１１】
2008190141.tif 000013